【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
フェノール樹脂、発泡剤、酸触媒及び無機フィラーを含む発泡性フェノール樹脂組成物を発泡、硬化させてなるフェノール樹脂発泡体であって、前記発泡剤が炭素数が２〜５の塩素化脂肪族炭化水素と炭素数が３〜６の脂肪族炭化水素を含み、前記無機フィラーが少なくとも金属水酸化物、金属酸化物、金属炭酸塩及び金属粉末から選択されたフィラーであり、且つ前記フェノール樹脂発泡体のｐＨが５以上であることを特徴とするフェノール樹脂発泡体。
【請求項２】
前記塩素化脂肪族炭化水素がクロロプロパンおよびその異性体である、請求項１に記載のフェノール樹脂発泡体。
【請求項３】
前記クロロプロパンがイソプロピルクロリドである、請求項２に記載のフェノール樹脂発泡体。
【請求項４】
前記発泡剤がイソプロピルクロリドと、ブタン、ペンタン、ヘキサン、へプタン及びそれらの異性体の少なくとも一種の炭化水素とを含む、請求項１〜３のいずれかに記載のフェノール樹脂発泡体。
【請求項５】
前記発泡剤がイソプロピルクロリドを７５％以上含む、請求項４に記載のフェノール樹脂発泡体。
【請求項６】
前記発泡剤が２５％以下の炭化水素を含む、請求項４に記載のフェノール樹脂発泡体。
【請求項７】
前記炭化水素がイソペンタンであり且つそれが前記発泡剤の１５重量％として存在する、請求項６に記載のフェノール樹脂発泡体。
【請求項８】
前記無機フィラーが酸化アルミニウム又は酸化亜鉛のような金属酸化物、亜鉛のような金属粉末、水酸化アルミニウム、水酸化マグネシウムのような金属水酸化物、又は炭酸カルシウム、炭酸マグネシウム、炭酸バリウム、炭酸亜鉛のような金属炭酸塩の少なくとも一種を含む、請求項１〜７のいずれかに記載のフェノール樹脂発泡体。
【請求項９】
前記フェノール樹脂に対する可塑剤を含む、請求項１〜８のいずれかに記載のフェノール樹脂発泡体。
【請求項１０】
前記可塑剤が二〜四価のカルボン酸から選択された多価カルボン酸の、二〜五価アルコールから選択された多価アルコールとの反応生成物であるポリエステルポリオールを含む、請求項９に記載のフェノール樹脂発泡体。
【請求項１１】
前記ポリエステルポリオールを合成するために使用される前記多価カルボン酸が、フタル酸、イソフタル酸、テレフタル酸、ナフタレン-２,３−ジカルボン酸、ナフタレン-１,４−ジカルボン酸、ナフタレン-２,６−ジカルボン酸、アジピン酸、ピメリン酸、スベリン酸、アゼライン酸、セバシン酸、シクロヘキサン−１,２−ジカルボン酸、シクロヘキサン−１,３−ジカルボン酸、シクロヘキサン−１,４−ジカルボン酸の少なくとも一種を含む、請求項１０に記載のフェノール樹脂発泡体。
【請求項１２】
前記ポリエステルポリオールを合成するために使用された前記多価アルコールが、エチレングリコール、ジエチレングリコール、プロピレングリコール、ジプロピレングリコール、１,４−ブタンジオール、１,５−ペンタンジオール、１,６−ヘキサンジオール、ネオペンチルグリコール、１,２−シクロヘキサンジメタノール、１,３−シクロヘキサンジメタノール及び１,４−シクロヘキサンジメタノールの少なくとも一種を含む、請求項１０に記載のフェノール樹脂発泡体。
【請求項１３】
前記フェノール樹脂と共反応するアミノ基を有する化合物を含む、請求項１〜１２のいずれかに記載のフェノール樹脂発泡体。
【請求項１４】
少なくとも一種のアミノ基含有化合物が尿素、ジシアンジアミド及びメラニンから選択される、請求項１３に記載のフェノール樹脂発泡体。
【請求項１５】
０．０２３Ｗ／ｍ.Ｋ（測定温度２３℃）以下の熱伝導度を有する、請求項１〜１４のいずれかに記載のフェノール樹脂発泡体。
【請求項１６】
１０〜１００Ｋｇ／ｍ３の密度を有する、請求項１〜１５のいずれかに記載のフェノール樹脂発泡体。
【請求項１７】
６０ｎｇ／（ｍ２．ｓ．Ｐａ）以下の透湿係数を有する、請求項１〜１６のいずれかに記載のフェノール樹脂発泡体。
【請求項１８】
８５％以上の独立気泡率と、２９％以上の酸素指数を有する、請求項１〜１７のいずれかに記載のフェノール樹脂発泡体。
【請求項１９】
少なくとも一方の表面に面材を有する、請求項１〜１８のいずれかに記載のフェノール樹脂発泡体。
【請求項２０】
前記面材がガラス繊維不織布、スパンボンド不織布、アルミニウム箔、ボンデッド不織布、金属シート、金属箔、プライウッド、珪酸カルシウムボード、プラスターボード、クラフト紙又は他の紙製品及び木製ボードの少なくとも一種を含む、請求項１９に記載のフェノール樹脂発泡体。
【手続補正２】
【補正対象書類名】明細書
【補正対象項目名】００１０
【補正方法】変更
【補正の内容】
【００１０】
すなわち、本発明は、
（１）  フェノール樹脂、発泡剤、酸触媒及び無機フィラーを含む発泡性フェノール樹脂組成物を発泡、硬化させてなるフェノール樹脂発泡体であって、前記発泡剤が炭素数が２〜５の塩素化脂肪族炭化水素と炭素数が３〜６の脂肪族炭化水素を含み、前記無機フィラーが少なくとも金属水酸化物、金属酸化物、金属炭酸塩及び金属粉末から選択されたフィラーであり、且つ前記フェノール樹脂発泡体のｐＨが５以上であることを特徴とするフェノール樹脂発泡体、
（２）  前記塩素化脂肪族炭化水素がクロロプロパンおよびその異性体である、上記（１）に記載のフェノール樹脂発泡体、
（３）  前記クロロプロパンがイソプロピルクロリドである、上記（２）に記載のフェノール樹脂発泡体、
（４）  前記発泡剤がイソプロピルクロリドと、ブタン、ペンタン、ヘキサン、へプタン及びそれらの異性体の少なくとも一種の炭化水素とを含む、上記（１）〜（３）のいずれかに記載のフェノール樹脂発泡体、
（５）  前記発泡剤がイソプロピルクロリドを７５％以上含む、上記（４）に記載のフェノール樹脂発泡体、
（６）  前記発泡剤が２５％以下の炭化水素を含む、上記（４）に記載のフェノール樹脂発泡体、
（７）  前記炭化水素がイソペンタンであり且つそれが前記発泡剤の１５重量％として存在する、上記（６）に記載のフェノール樹脂発泡体、
（８）  前記無機フィラーが酸化アルミニウム又は酸化亜鉛のような金属酸化物、亜鉛のような金属粉末、水酸化アルミニウム、水酸化マグネシウムのような金属水酸化物、又は炭酸カルシウム、炭酸マグネシウム、炭酸バリウム、炭酸亜鉛のような金属炭酸塩の少なくとも一種を含む、上記（１）〜（７）のいずれかに記載のフェノール樹脂発泡体、
（９）  前記フェノール樹脂に対する可塑剤を含む、上記（１）〜（８）のいずれかに記載のフェノール樹脂発泡体、
（１０）  前記可塑剤が二〜四価のカルボン酸から選択された多価カルボン酸の、二〜五価アルコールから選択された多価アルコールとの反応生成物であるポリエステルポリオールを含む、上記（９）に記載のフェノール樹脂発泡体、
（１１）  前記ポリエステルポリオールを合成するために使用される前記多価カルボン酸が、フタル酸、イソフタル酸、テレフタル酸、ナフタレン-２,３−ジカルボン酸、ナフタレン-１,４−ジカルボン酸、ナフタレン-２,６−ジカルボン酸、アジピン酸、ピメリン酸、スベリン酸、アゼライン酸、セバシン酸、シクロヘキサン−１,２−ジカルボン酸、シクロヘキサン−１,３−ジカルボン酸、シクロヘキサン−１,４−ジカルボン酸の少なくとも一種を含む、上記（１０）に記載のフェノール樹脂発泡体、
（１２）  前記ポリエステルポリオールを合成するために使用された前記多価アルコールが、エチレングリコール、ジエチレングリコール、プロピレングリコール、ジプロピレングリコール、１,４−ブタンジオール、１,５−ペンタンジオール、１,６−ヘキサンジオール、ネオペンチルグリコール、１,２−シクロヘキサンジメタノール、１,３−シクロヘキサンジメタノール及び１,４−シクロヘキサンジメタノールの少なくとも一種を含む、上記（１０）に記載のフェノール樹脂発泡体、
（１３）  前記フェノール樹脂と共反応するアミノ基を有する化合物を含む、上記（１）〜（１２）のいずれかに記載のフェノール樹脂発泡体、
（１４）  少なくとも一種のアミノ基含有化合物が尿素、ジシアンジアミド及びメラニンから選択される、上記（１３）に記載のフェノール樹脂発泡体、
（１５）  ０．０２３Ｗ／ｍ.Ｋ（測定温度２３℃）以下の熱伝導度を有する、上記（１）〜（１４）のいずれかに記載のフェノール樹脂発泡体、
（１６）  １０〜１００Ｋｇ／ｍ３の密度を有する、上記（１）〜（１５）のいずれかに記載のフェノール樹脂発泡体、
（１７）  ６０ｎｇ／（ｍ２．ｓ．Ｐａ）以下の透湿係数を有する、上記（１）〜（１６）のいずれかに記載のフェノール樹脂発泡体、
（１８）  ８５％以上の独立気泡率と、２９％以上の酸素指数を有する、上記（１）〜（１７）のいずれかに記載のフェノール樹脂発泡体、
（１９）  少なくとも一方の表面に面材を有する、上記（１）〜（１８）のいずれかに記載のフェノール樹脂発泡体、および
（２０）  前記面材がガラス繊維不織布、スパンボンド不織布、アルミニウム箔、ボンデッド不織布、金属シート、金属箔、プライウッド、珪酸カルシウムボード、プラスターボード、クラフト紙又は他の紙製品及び木製ボードの少なくとも一種を含む、上記（１９）に記載のフェノール樹脂発泡体
を提供するものである。